(57)【要約】      （修正有）【課題】コロナウイルス等の病原体の蔓延による罹患が危惧される待合室や執務室等の部屋の床面に載置される簡易型のパーティションを提供する。【解決手段】十文字状に保持溝部が形成された縦支柱２に、仕切り板３として透明板の左右両端縁部を抜き差し自在に嵌入支持することで、相対向する側を透視できる状態のパーティション１を現場において簡単に組立てることができるようにする。【選択図】図１
2022001716.tif 000002
【特許請求の範囲】
【請求項１】
人が出入りする待合室や執務室等の部屋の床面に載置される簡易型パーティションであって、該簡易型パーティションは、左右の縦支柱と、該縦支柱に左右両端縁部が支持される仕切り板とを備えて構成されたものであり、
前記縦支柱は、床面から立設し、中心部と、横方向に対向する一対の保持片を備えた縦溝状のものが前記中心部から平面視で十文字状に延出する保持溝部とを備えることで構成され、
仕切り板は、左右端縁部が左右の縦支柱からそれぞれ選択される一つの保持溝部に抜き差し自在に嵌入支持されると共に、透明板材から構成されていて対向側が透視可能であることを特徴とする簡易型パーティション。
【請求項２】
左右縦支柱の仕切り板が嵌入支持される保持溝部に直行する保持溝部に、第二の仕切り板の一方の端縁部を抜き差し自在に嵌入支持すると共に、該第二の仕切り板の他方の遊端となる端縁部を第二の縦支柱の保持溝部に抜き差し自在に嵌入支持することで、両端縁部が縦支柱に支持された仕切り板が三面に配された平面視でコ字形の仕切りスペースが形成され、これら三面の仕切り板のうちの少なくとも一面の仕切り板を対向側が透視可能な透明板材にしたことを特徴とする請求項１記載の簡易型パーティション。
【請求項３】
縦支柱の第二の仕切り板が嵌入支持された保持溝部に対して逆側の保持溝部に、第三の仕切り板の一方の端縁部を抜き差し自在に嵌入支持すると共に、該第三の仕切り板の他方の遊端となる端縁部を第三の縦支柱の保持溝部に抜き差し自在に嵌入支持することで、両端縁部が縦支柱に支持された仕切り板が平面視でＨ字形に配されていて相対する前後が仕切られた仕切りスペースが形成され、これら仕切り板のうち少なくとも一面の仕切り板を対向側が透視可能な透明板材にしたことを特徴とする請求項２記載の簡易型パーティション。
【請求項４】
縦支柱の第一の仕切り板が嵌入支持された保持溝部に対して逆側の保持溝部に、第四の仕切り板の一方の端縁部を抜き差し自在に嵌入支持すると共に、該第四の仕切り板の他方の遊端となる端縁部を第四の縦支柱の保持溝部に抜き差し自在に嵌入支持し、さらに該第四の縦支柱の保持溝部から第五の仕切り板を第二の仕切り板と同方向に向く状態で抜き差し自在に嵌入支持すると共に、該第五の仕切り板の他方の遊端となる端縁部を第五の縦支柱の保持溝部に抜き差し自在に嵌入支持することで、両端縁部が縦支柱に支持された仕切り板が平面視でＥ字形をして配されていて相対する左右が仕切られた仕切りスペースが形成され、これら仕切り板のうち少なくとも一面の仕切り板を対向側が透視可能な透明板材にしたことを特徴とする請求項２記載の簡易型パーティション。
【請求項５】
前記Ｈ字形の仕切りスペースが形成されたものの前後の仕切りとなる仕切り板を嵌入する左右何れか一方の縦支柱の仕切り板が嵌入支持されていない保持溝部に、さらに別の仕切り板の一方の端縁部を抜き差し自在に嵌入支持すると共に、該別の仕切り板の他方の端縁部にさらに別の縦支柱の保持溝部に抜き差し自在に嵌入支持し、さらに該別の縦支柱の前後の保持溝部に、前記別の仕切り板がＴ字形の脚片となるようさらなる別の二枚の仕切り板を抜き差し自在に嵌入支持すると共に、該さらなる二枚の仕切り板の遊端となる端縁部にさらなる別の縦支柱の保持溝部に抜き差し自在に嵌入支持するか、前記Ｅ字形の仕切りスペースが形成されたものの前後の仕切りとなる仕切り板の端縁部が嵌入支持される縦支柱の保持溝部に、左右を仕切る仕切り板とは逆側に向く状態でさらに別の仕切り板の一方の端縁部を抜き差し自在に嵌入支持すると共に、遊端となる他方の端縁部にさらに別の縦支柱の保持溝部を抜き差し自在に嵌入支持することで、前後左右が仕切り板によって四つに仕切られた仕切りスペースが形成されるものとし、これら仕切り板のうち少なくとも一面の仕切り板を対向側が透視可能な透明板材にしたことを特徴とする請求項３または４記載の簡易型パーティション。
【請求項６】
仕切り板は、全てが透明板であることを特徴とする請求項１乃至５の何れか１記載の簡易型パーティション。
【請求項７】
仕切り板が透明板である場合に、該透明の仕切り板は、保持溝部の溝幅よりも肉薄であり、仕切り板に外嵌されたスペーサを介して保持溝部に抜き差し自在に嵌入支持され、仕切り板が不透明板である場合に、該不透明の仕切り板は、保持溝部に嵌入支持される肉厚を備えたものであることを特徴とする請求項１乃至６の何れか１記載の簡易型パーティション。
【請求項８】
前後の仕切りスペースを仕切る仕切り板は、あいだに中間の縦支柱を介して複数枚の仕切り板が連接されたものであり、中間縦支柱と、該中間縦支柱に一方の端縁部が嵌入支持される仕切り板と直交する仕切り板の遊端となる端縁部が嵌入支持される縦支柱との上端縁部間に補強用の連結杆が着脱自在に支架されることを特徴とする請求項２乃至７の何れか１記載の簡易型パーティション。
【請求項９】
仕切り板の中から選択される少なくとも一枚の仕切り板は、下半部がないものであり、該下半部がない仕切り板の下端縁部は、左右の縦支柱間に配した前記縦支柱と同材からなる横支柱の保持溝部に抜き差し自在に嵌入支持されることを特徴とする請求項１乃至８の何れか１記載の簡易型パーティション。
【発明の詳細な説明】
【技術分野】
【０００１】
本発明は、コロナウイルス等の病原体の蔓延による罹患が危惧される待合室や執務室等の部屋の床面に載置される簡易型のパーティションの技術分野に関するものである。
【背景技術】
【０００２】
今日、免疫効果を獲得できるワクチンや治癒効果のある薬剤のない新型コロナウイルス等の病原体の蔓延が大きな社会的問題になっており、人が出入りする待合室や執務室等の部屋において、椅子に座している人が隣人と相対している場合に、相対している人同士のあいだを仕切ることが要求されることがあり、このようなとき、あいだにパーティションを設けることが試みられる（例えば特許文献１参照。）。
【先行技術文献】
【特許文献】
【０００３】
【特許文献１】特開２０２０−４１２８２号公報
【発明の概要】
【発明が解決しようとする課題】
【０００４】
しかしながら前記従来のパーティションは、床面から立設する左右の縦支柱間に仕切り材を設けたものとして構成されるが、仕切り材は不透明部材により構成されているため、室内の見通しが悪く閉塞感を醸成するうえ、狭い室内空間に閉じ込められた感じ与えてしまうという問題がある。しかも相対する人と会話をしようとするときに、互いに相手の顔が見えないこともあって円滑な会話ができない等の問題があり、これらに本発明の解決すべき課題がある。
【課題を解決するための手段】
【０００５】
本発明は、上記の如き実情に鑑みこれらの課題を解決することを目的として創作されたものであって、請求項１の発明は、人が出入りする待合室や執務室等の部屋の床面に載置される簡易型パーティションであって、該簡易型パーティションは、左右の縦支柱と、該縦支柱に左右両端縁部が支持される仕切り板とを備えて構成されたものであり、
前記縦支柱は、床面から立設し、中心部と、横方向に対向する一対の保持片を備えた縦溝状のものが前記中心部から平面視で十文字状に延出する保持溝部とを備えることで構成され、
仕切り板は、左右端縁部が左右の縦支柱からそれぞれ選択される一つの保持溝部に抜き差し自在に嵌入支持されると共に、透明板材から構成されていて対向側が透視可能であることを特徴とする簡易型パーティションである。
請求項２の発明は、左右縦支柱の仕切り板が嵌入支持される保持溝部に直行する保持溝部に、第二の仕切り板の一方の端縁部を抜き差し自在に嵌入支持すると共に、該第二の仕切り板の他方の遊端となる端縁部を第二の縦支柱の保持溝部に抜き差し自在に嵌入支持することで、両端縁部が縦支柱に支持された仕切り板が三面に配された平面視でコ字形の仕切りスペースが形成され、これら三面の仕切り板のうちの少なくとも一面の仕切り板を対向側が透視可能な透明板材にしたことを特徴とする請求項１記載の簡易型パーティションである。
請求項３の発明は、縦支柱の第二の仕切り板が嵌入支持された保持溝部に対して逆側の保持溝部に、第三の仕切り板の一方の端縁部を抜き差し自在に嵌入支持すると共に、該第三の仕切り板の他方の遊端となる端縁部を第三の縦支柱の保持溝部に抜き差し自在に嵌入支持することで、両端縁部が縦支柱に支持された仕切り板が平面視でＨ字形に配されていて相対する前後が仕切られた仕切りスペースが形成され、これら仕切り板のうち少なくとも一面の仕切り板を対向側が透視可能な透明板材にしたことを特徴とする請求項２記載の簡易型パーティションである。
請求項４の発明は、縦支柱の第一の仕切り板が嵌入支持された保持溝部に対して逆側の保持溝部に、第四の仕切り板の一方の端縁部を抜き差し自在に嵌入支持すると共に、該第四の仕切り板の他方の遊端となる端縁部を第四の縦支柱の保持溝部に抜き差し自在に嵌入支持し、さらに該第四の縦支柱の保持溝部から第五の仕切り板を第二の仕切り板と同方向に向く状態で抜き差し自在に嵌入支持すると共に、該第五の仕切り板の他方の遊端となる端縁部を第五の縦支柱の保持溝部に抜き差し自在に嵌入支持することで、両端縁部が縦支柱に支持された仕切り板が平面視でＥ字形をして配されていて相対する左右が仕切られた仕切りスペースが形成され、これら仕切り板のうち少なくとも一面の仕切り板を対向側が透視可能な透明板材にしたことを特徴とする請求項２記載の簡易型パーティションである。
請求項５の発明は、前記Ｈ字形の仕切りスペースが形成されたものの前後の仕切りとなる仕切り板を嵌入する左右何れか一方の縦支柱の仕切り板が嵌入支持されていない保持溝部に、さらに別の仕切り板の一方の端縁部を抜き差し自在に嵌入支持すると共に、該別の仕切り板の他方の端縁部にさらに別の縦支柱の保持溝部に抜き差し自在に嵌入支持し、さらに該別の縦支柱の前後の保持溝部に、前記別の仕切り板がＴ字形の脚片となるようさらなる別の二枚の仕切り板を抜き差し自在に嵌入支持すると共に、該さらなる二枚の仕切り板の遊端となる端縁部にさらなる別の縦支柱の保持溝部に抜き差し自在に嵌入支持するか、前記Ｅ字形の仕切りスペースが形成されたものの前後の仕切りとなる仕切り板の端縁部が嵌入支持される縦支柱の保持溝部に、左右を仕切る仕切り板とは逆側に向く状態でさらに別の仕切り板の一方の端縁部を抜き差し自在に嵌入支持すると共に、遊端となる他方の端縁部にさらに別の縦支柱の保持溝部を抜き差し自在に嵌入支持することで、前後左右が仕切り板によって四つに仕切られた仕切りスペースが形成されるものとし、これら仕切り板のうち少なくとも一面の仕切り板を対向側が透視可能な透明板材にしたことを特徴とする請求項３または４記載の簡易型パーティションである。
請求項６の発明は、仕切り板は、全てが透明板であることを特徴とする請求項１乃至５の何れか１記載の簡易型パーティションである。
請求項７の発明は、仕切り板が透明板である場合に、該透明の仕切り板は、保持溝部の溝幅よりも肉薄であり、仕切り板に外嵌されたスペーサを介して保持溝部に抜き差し自在に嵌入支持され、仕切り板が不透明板である場合に、該不透明の仕切り板は、保持溝部に嵌入支持される肉厚を備えたものであることを特徴とする請求項１乃至６の何れか１記載の簡易型パーティションである。
請求項８の発明は、前後の仕切りスペースを仕切る仕切り板は、あいだに中間の縦支柱を介して複数枚の仕切り板が連接されたものであり、中間縦支柱と、該中間縦支柱に一方の端縁部が嵌入支持される仕切り板と直交する仕切り板の遊端となる端縁部が嵌入支持される縦支柱との上端縁部間に補強用の連結杆が着脱自在に支架されることを特徴とする請求項２乃至７の何れか１記載の簡易型パーティションである。
請求項９の発明は、仕切り板の中から選択される少なくとも一枚の仕切り板は、下半部がないものであり、該下半部がない仕切り板の下端縁部は、左右の縦支柱間に配した前記縦支柱と同材からなる横支柱の保持溝部に抜き差し自在に嵌入支持されることを特徴とする請求項１乃至８の何れか１記載の簡易型パーティションである。
【発明の効果】
【０００６】
請求項１の発明とすることにより、透明板で仕切られていて対向側を透視できるパーティションを簡単に構成することができる。
請求項２、３、４の発明とすることにより、対向側を透視できるパーティションとして、平面視でコ字形、Ｈ字形、Ｅ字形をしたものを簡単に構成することができる。
請求項５の発明とすることにより、前後左右が仕切り板によって仕切られた四つの仕切りスペースが形成されるパーティションを、Ｈ字型、Ｅ字型のものから簡単に構成することができる。
請求項６の発明とすることにより、パーティションが設けたものでありながら、仕切り板の全てが透明板から構成されるので、室内空間を遮るものがなく全方位的に見通せることになって、室内空間が狭く感じることもない。
請求項７の発明とすることにより、仕切り板が透明板である場合に、該透明板を肉薄にして軽量化が図れながら、該肉薄の透明板の縦支柱に対する嵌入支持を、スペーサを介して確実にできることになる。
請求項８の発明とすることにより、前面板が幅広なパーティションを、あいだに縦支柱を設けることで簡単に形成することができる。
請求項９の発明とすることにより、少なくとも一枚の仕切り板を、下半部がなく、通気性を有したものにすることが簡単に形成することができる。
【図面の簡単な説明】
【０００７】
【図１】前後左右に四つの仕切りスペースが形成されたパーティションの斜視図である。
【図２】縦支柱に仕切り板を組み込む前の状態を示す平面図である。
【図３】縦支柱に仕切り板を組み込んだ状態を示す平面図である。
【図４】（Ａ）（Ｂ）（Ｃ）は前後を一枚の仕切り板で仕切ったパーティション、前後を二枚の仕切り板で仕切ったパーティション、コ字形に仕切ったパーティションのパターン図である。
【図５】Ｈ字形に仕切ったパーティションのパターン図である。
【図６】Ｅ字形に仕切ったパーティションのパターン図である。
【図７】前後左右に四つの仕切りスペースが形成されたパーティションの組み増し状態を示すパターン図である。
【図８】（Ａ）（Ｂ）（Ｃ）（Ｄ）は前後左右に四つの仕切りスペースが形成されたパーティションの仕切り板を透明板、不透明板とする配設例を示すパターン図である。
【図９】連結杆を組み込む状態を示す要部斜視図である。
【図１０】仕切り板を上下二分割したパーティションの斜視図である。
【図１１】縦支柱に補助板を取り付けたパーティションの斜視図である。
【発明を実施するための形態】
【０００８】
以下、本発明の実施の形態について、図面に基づいて説明する。図面において、１は簡易型のパーティションであって、図１および図７に示すパーティション１は、１１本の縦支柱２、１０枚の仕切り板３を用いて前後左右に四つの仕切りスペースＳが隣接する状態で形成されている。
【０００９】
縦支柱２は、円筒状の筒孔２ｂが形成された中心部２ａと、該中心部２ａから平面視で十文字状に延出した保持溝部２ｃとを備えることで自立できる構成になっているが、該保持溝部２ｃは、横方向（左右または前後方向）に間隙を存して対向する一対の保持片２ｄを備えることで構成されている。
保持溝部２ｃは、入り口部２ｅと溝奥部２ｆとが溝幅Ｘとなり、これらのあいだの中間部２ｇの溝幅Ｙが前記溝幅Ｘよりも幅広（Ｙ＞Ｘ）となるよう設定されている。
【００１０】
一方、仕切り板３は、本実施の形態では、透明な板材で構成された透明板４と不透明な板材で構成された不透明板５との二種類のものを用いて構成されるが、透明板４としては、ポリカルボネート、アクリルニトリル等の透明性に優れた強度のある硬質の合成樹脂材を用いて一枚板状に形成することが好ましいが、透明であればガラス製であっても勿論よい。また透明板４とする場合に、着色したものであっても勿論よく、着色した場合には、透明板４の存在を人に意識させることができるという利点がある。
また不透明板５は、軽量で強度もあって取り扱いが容易な段ボールとすることが好ましいが、段ボールとした場合に、紙製だけでなく、ポリ塩化ビニル、ポリエチレン、ポリプロピレン等の合成樹脂製のものものを採用することができ、このように合成樹脂製の段ボールとした場合には、清掃時に水が使用されることを想定して防水処理を施す必要がない。さらに不透明板５として合成樹脂材を採用する場合には、ポリウレタンやポリスチレン等の合成樹脂材を素材として形成した発泡板を採用することができる。勿論、不透明板５としてアルミニウム等の金属製板材を用いてもよいことはいうまでもない。また不透明板５としては、透光性がないものだけでなく、反対側のシルエットを視認できる程度の透光性がある半透明のものであつてもよいことは勿論である。
【００１１】
前記不透明板５は、板厚が保持溝部２ｃの入り口部２ｅと溝奥部２ｆとの溝幅Ｘと略同寸法または若干肉厚の板材で形成されることが好ましく、板厚が溝幅Ｘよりも厚い場合には、不透明板５の左右端縁部を、保持溝部２ｃの入り口部２ｅおよび溝奥部２ｆまで抜き差し自在に嵌入することで押圧（弾圧）を受ける状態で抜き差し自在に嵌入支持されるようになっている。
勿論、不透明板５の板厚についても、透明板４と同様、保持溝部２ｃに遊嵌する肉薄のものとすることができ、この場合には透明板４の場合と同様スペーサ６を用いて縦支柱２に嵌入支持されたものになる。
【００１２】
これに対して透明板４は、溝幅Ｘよりも肉薄にすることで軽量化を図ることができるが、該肉薄にした場合、透明板４の左右端縁部に、コ字形をしたスペーサ６を外嵌組み込みした状態で保持溝部２ｃに抜き差し自在に嵌入組み込みすることになるが、該スペーサ６は、自然状態では跨部６ａから延びる脚部６ｂが中間部位で対向する脚部６ｂ側に向けて折曲していると共に先端部６ｄ同士が当接した形状になっている。そして透明板４を、両脚部６ｂ間に挟持される状態で内嵌すると、前記脚部６ｂに形成される折曲部６ｃが透明板４の表面から離間するく字状態になり、透明板４は、このスペーサ６が外嵌取り付けされた状態で保持溝部２ｃに抜き差し自在に嵌入することで組付け現場において縦支柱２の保持溝部２ｃに取付けられるようになっている。そして該嵌入組み込みされたスペーサ６は、跨部６ａが溝奥部２ｆに嵌入し、脚部６ｂの先端側部位が入り口部２ｅに弾圧状に支持されることになるが、さらにこのものでは折曲部６ｃが入り口部２ｅの溝幅Ｘよりも幅広になっているためスペーサ６の保持溝部６ｃからの不用意な抜け止めが阻止される構成になっている。
尚、透明板４を保持溝部２ｃから抜き取る場合に、スペーサ６は、折曲部６ｃが入り口部２ｅよりも幅広となる状態になっているため、透明板４と共に抜け出ることはあまりなく、スペーサ６が保持溝部２ｃ内に残ることが多いが、該残ったスペーサ７は、透明板４が抜け出てないため元の縮小した姿勢になるため、簡単に保持溝部２ｅから抜き出すことができることになる。
因みに本実施の形態のものは、縦支柱２と仕切り板３とは上下方向同寸法（同長）のものとして説明しているが、仕切り板３を縦支柱２よりも短い（例えば１５ｍｍ程度短い）ものとすることで、パーティション１を組立てた場合に、組み立て時の誤差や仕切り板３、縦支柱２の加工誤差等があったとしても、仕切り板３の上端縁が縦支柱２の上端縁よりも低いものにすることができることになり、この結果、仕切り板３を特に透明板４とした場合に、透明板４の硬いコーナー部が縦支柱２から突出した状態となってしまうことを回避できる、という利点がある。
また透明板４についても、板厚を不透明板５と同様の板厚のものを用いることができ、この場合にはスペーサ６を不要にした縦支柱２への取り付けができることになる。
【００１３】
本発明が実施された簡易型のパーティション１として最小単位のものは、図４（Ａ）に示すように、左右一対の縦支柱（第一の縦支柱）２と一枚の透明板（第一の仕切り板）４とを用いて構成されるが、この場合のパーティション１としては、左右縦支柱２の保持溝部２ｃに、仕切り板３となる透明板４の左右両端縁部が、該左右両端縁部に外嵌されたスペーサ６を介して取り付け現場にて抜き差し自在に嵌入支持されることで構成されるが、仕切り板３を、左右幅を広い１枚ものとした場合に、幅広であるうえ、特に透明板４とした場合には重量も重いものになって現場への搬送（持ち込み）や組み立て作業がしづらいものとなり、このため仕切り板３を、あいだに縦支柱２が設けられる状態で左右に二枚が設けられた分割型にしたものとして構成することができる（図４（Ｂ）参照）。この場合に、左右何れか一方、あるいは両仕切り板３を透明板４として前方を透視できるようにすることができる。このような幅広のパーティション１とする場合には、仕切り板３を二枚以上の複数枚とした分割型としてもよい。
【００１４】
そしてこのように仕切り板３を左右に一枚板状に配しただけのパーティション１とした場合に、該パーティション１の自立を補助するため、図１１に示す如く、仕切り板３が嵌入支持される保持溝部２ｃに直交する前後方向少なくとも一方の保持溝部２ｃの下端部に、補助板９を抜き差し自在に嵌入支持することができ、この場合に補助板９を、不透明板５と同材のもので構成することで、部材点数の増加を回避できることになる。
尚、本実施の形態に設けられる補助板９は、上辺が先端側ほど低くなるよう傾斜した形状になっているが、これに限定されることなく、縦支柱に嵌入支持される辺側が直角になったものであれば、四角形状、三角形状（直角三角形）、台形形状等、適宜の形状のものを採用できることは言うまでもない。
【００１５】
また前記補助板９に代えて、図４（Ｃ）に示す如く、第二の仕切り板３−２の一方の端縁部を抜き差し自在に嵌入支持すると共に、該第二の仕切り板３−２の遊端なる他方の端縁部に第二の縦支柱２−２の保持溝部２ｃに抜き差し自在に嵌入支持したパーティション１とすることができ、このようにしたときには、パーティション１として、平面視でコ字形をし、前面側及び左右両面側が仕切り板３によって仕切られた仕切りスペースＳが一つのものが構成される。そしてこのコ字形をしたパーティション１において、必要とされる少なくとも一つの仕切り板３（３−２）を透明板４とすることで、該透明板４を通して反対側が透視できることになる。
【００１６】
これに対し、前記コ字形をしたパーティション１に対して、仕切り板３の左右方向外端縁部が嵌入支持される縦支柱２の保持溝部２ｃに直交する前後両方向の保持溝部２ｃに、左右一対の第三の仕切り板３−３の一方の端縁部を抜き差し自在に嵌入支持すると共に、これら第三の仕切り板３−３の遊端となる他方の端縁部に第三の縦支柱２−３の保持溝部２ｃを抜き差し自在に嵌入支持したパーティション１とすることがことができ、このようにしたときにはパーティション１として、図５に示すように平面視でＨ字形をしたものに組み増しをすることができ、このパーティション１では、前面が相対向する状態で仕切られ、かつ左右両側が仕切られた前後二つの仕切りスペースＳが形成されたものとなり、これらのパーティション１において、少なくとも１枚の仕切り材３を透明板４とすることで、該透明板４を介して反対側が透視できるパーティション１を構成することができる。
【００１７】
また前記第一の縦支柱２の第一の仕切り板３が嵌入支持された保持溝部２ｃに対して逆側の保持溝部２ｃに、第四の仕切り板３の一方の端縁部を抜き差し自在に嵌入支持（本実施の形態では、第四の仕切り板３−４は、あいだに第四の縦支柱２−４を存した状態で左右に一対が配されたものとなっているが、一枚板であっても勿論よい。）すると共に、該第四の仕切り板３の他方の遊端となる端縁部を第四の縦支柱２−４の保持溝部２ａに抜き差し自在に嵌入支持し、さらに該第四の縦支柱２−４の第二の仕切り板３−２が設けられると同側の保持溝部２ｃに、第五の仕切り板３−５の一方の端縁部を第二の仕切り板３−２と同方向に向く状態で抜き差し自在に嵌入支持すると共に、該第五の仕切り板３−５の他方の遊端となる端縁部を第五の縦支柱２−５の保持溝部２ｃに抜き差し自在に嵌入支持したパーティション１として組み増しをすることができ、このように組み増しをしたパーティション１は、図６に示すように平面視でＥ字形をしていて、前面及び左右両面が仕切られた二つの仕切りスペースＳが左右に隣接する状態で形成されたものとなり、このパーティション１についても、少なくとも１枚の仕切り材３を透明板４とすることで、該透明板４を介して反対側が透視できるパーティション１を構成することができる。
勿論、これらコ字形、Ｈ字形、そしてＥ字形をしたパーティション１を形成する場合に、前記手順による組み増しによって形成する必要はなく、最初から組み立てる場合には、その組み立て順序を問わないものである。
【００１８】
次に、前述した１１本の縦支柱２、１０枚の仕切り板３を用いて図１及び図７に示すように前後左右に四つの仕切りスペースＳが隣接する状態で形成されたパーティション１を構成する場合について説明するが、このものは、最初から独自に組み立て形成することができるが、前記Ｈ字形およびＥ字形の仕切りスペースＳが形成されたパーティション１から延長する状態で組み増し形成することができる。
前記Ｈ型のパーティション１から組み増しする場合には、前後の仕切りとなる第一の仕切り板３を嵌入する左右何れか一方の第一縦支柱２の仕切り板３が嵌入支持されていない保持溝部２ｃに、第六の仕切り板３−６の一方の端縁部を抜き差し自在に嵌入支持すると共に、該第六の仕切り板３−６の他方の端縁部にさらに第六の縦支柱２−６の保持溝部２ｃに抜き差し自在に嵌入支持し、さらに該第六の縦支柱２−６の前後の保持溝部２ｃに、前記第六仕切り板３−６がＴ字形の脚片となるようさらに第七の二枚の仕切り板３−７を抜き差し自在に嵌入支持し、さらに該第七の仕切り板３−７の遊端となる端縁部に第七の縦支柱２−７の保持溝部２ｃに抜き差し自在に嵌入支持することで組み増し形成することができる。
【００１９】
また、前記Ｅ字形のパーティション１から組み増しする場合（図７の括弧書きの引き出し符号を参照）には、仕切りスペースＳが形成されたものの前面の仕切りとなる第一の仕切り板３の端縁部が嵌入支持される第一の縦支柱２の保持溝部２ｃに、左右を仕切る第四の仕切り板３とは逆側に向く状態でさらに第八の仕切り板３−８の一方の端縁部を抜き差し自在に嵌入支持すると共に、遊端となる他方の端縁部に第八の縦支柱２−８の保持溝部２ｃを抜き差し自在に嵌入支持することで、前記前後左右が仕切り板３によって四つに仕切られた仕切りスペースＳを有したパーティション１を組み増し形成できることになる。そしてこれら仕切り板３のうち少なくとも一面の仕切り板３を対向側が透視可能な透明板材にすることで透明板４を通して反対側を視認することができる。
因みに、該四つの仕切りスペースＳを有したパーティション１において、全ての仕切り板３を透明板４とした場合（図８（Ａ）参照）には、前方および左右に隣接する仕切りスペースＳおよび左右方向外側方の全てを透視できる。
このようなパーティション１とした場合に、全ての仕切り板３を透明板４にしたものに限定されず、例えば図８（Ｂ）に示す如く、左右の仕切り板３を透明板４とし、前後の仕切り板３を不透明板５としたもの、図８（Ｃ）に示す如く、前後の仕切り板および中央の側面仕切り板３を透明板４とし、左右両側の仕切り板３を不透明板５にしたもの、図８（Ｄ）に示す如く、中央の側面仕切り板を不透明板５とし、残り全てを透明板４にしたもの等、種々のパターンを選択できることになり、このような選択は、組み立て後においても仕切り板３について、透明板４と不透明板５との交換をすることで簡単にできることになる。
尚、図８においては、判りやすくするため、透明板４を細線で、不透明板５を太線で描いている。
【００２０】
叙述の如く構成された本実施の形態において、前記何れのパーティション１も、同じ部材の縦支柱２と、透明板４、不透明板５の何れかから選択される仕切り板３、そして透明板４である場合に該透明板４に外嵌されるスペーサ６を必要数だけ現場に搬入し、基本的には仕切り板３を縦支柱２の保持溝部２ｃに抜き差し自在に嵌入支持するだけの簡単な作業で組み立てることができるため、熟練者による組み立て作業が不要になって、作業性が向上する。
【００２１】
しかもこのものでは、仕切り板３が透明板４となっている部位においては、該透明板４を介して相対する反対側を透視（視認）することができ、このため相対する側にいる人同士での会話を、透明板４を介してすることができ、会話をする際に発生する唾を透明板４で遮断できることになって病原の罹患防止に大いに寄与できることになる。
【００２２】
このように本発明が実視されたパーティション１においては、仕切り板３として透明板４が設けられたものであるため、仕切られた状態でありながら相手を視認した状態での会話ができることになるが、パーティション１としては、縦支柱２と仕切り板３とを適宜組み付けることにより、一枚板状のものから、コ字形、Ｈ字形、Ｅ字形、前後左右に仕切りスペースＳが隣接する形状のもの等、各種の形状のものに簡単に組立てできるものであり、また不要になった場合にはこれらを簡単に分解し、コンパクトに収納できることになって使い勝手の良いものとなる。
【００２３】
尚、本発明は前記実施の形態のものに限定されないことは勿論であって、パーティション１の形状としては、前記形状のものに限定されず、必要において延長形成することができ、この場合には、必要部品を追加するだけでよいことになる。
【００２４】
また本発明を実施するにあたり、パーティション１として、仕切りスペースＳを仕切る仕切り板３として、縦横直交する仕切り板３の端縁部に設けた縦支柱２間、これが前述したように前面板が中間の縦支柱３を介して左右方向に長く連接されたものである場合に、該中間縦支柱３と、該中間縦支柱２に一方の端縁部が嵌入支持される仕切り板３と直交する仕切り板３の遊端となる端縁部が嵌入支持される縦支柱２との上端縁部間に、図１、図９に示すように、コ字形をした補強用の連結杆７の両脚部７ａを、縦支柱２の筒孔２ｂ間や保持溝部２ｃ間に着脱自在に嵌入支持することで、該連結杆７が、直交状に交差する一対の仕切り板３に対して傾斜状の梁となって筋交いとしての機能を発揮して強度アップが図れ、現場にて簡単に組立て、分解ができるものでありながら、安定性に優れたものとなる。
この場合に、前側の２枚の仕切り板３を連結する中間の縦支柱２に２本の連結杆７を平面視でＶ字状に組み込んだ場合、仕切りスペースＳの中央部分の上方には連結杆７が避けた配置となり、この結果、仕切りスペースＳに位置する人が立ち上がったときに連結杆７が邪魔になることを効果的に回避できることになる。
【００２５】
またパーティション１に設けられる仕切り板としては、上下方向に連結した一枚ものとすることなく、上下に分割された二枚の仕切り板３ｕ、３ｄとすることができ、この場合には、図１０に示すように、上下の仕切り板３のあいだに縦支柱と同材の横支柱７を配設し、横支柱８の上下の保持溝部８ａに、分割された仕切り板３の互いに対向する上下端縁部を抜き差し自在に嵌入するように構成することができる。勿論、分割した二枚の仕切り板３ｕ、３ｄを、透明板、不透明板のなかから何れを選択して採用してもよい。このように仕切り板３を上下分割する場合に、前面の仕切り板だけでなく左右側面の仕切り板についても同様に分割することができ、また前面及び側面の両者を分割することもできる。
この場合に、横支柱８の前後方向に突出する保持溝部８ａに棚板１０を嵌入支持することで、簡易的な物置き板として機能させることができる。そして前面及び側面の仕切り板３を、ともにあいだに横支柱８が設けられた状態で二分割したものにおいては、横支柱８が直角状に配設されることになり、この直角状の横支柱８に棚板１０の前端縁および側端縁を嵌入支持することにより、該棚板１０の保持の補強を図ることができる。
さらには、該仕切り板３を分割した場合に、例えば下側の仕切り板３ｄがないものとした場合には、該下側が通気性の維持が図れ、例えば前後に配した机を仕切る場合に、机上部分は仕切ることができるが、机下部分は通気性の維持が図れ、居住性の向上が図れることになる。
また仕切り板３を介して物の移動をする必要がある場合には、仕切り板３に連通孔を設けたものとすることもできる。この場合に設けられる連通孔は、相対する人の顔の位置よりも低位であって、手を自然に伸ばした高さとすることが好ましい。
【００２６】
さらにまた、パーティション１の自立を補助するため、図１１に示すように、仕切り板３が嵌入支持されていない縦支柱２の保持溝部２ｃに、補助板９を嵌入支持する構成にしてもよく、補助板９としては不透明板と同材からなるものを採用することが好ましい。
また、前述したように仕切り板３を上下二分割し、下側の仕切り板３ｄがないものとした場合、横支柱８と縦支柱２のコーナー部位に前記補助板９に相当するものを設けることで、横支柱８、上側仕切り板３ｕの保持をより強固なものにすることができる。
【産業上の利用可能性】
【００２７】
本発明は、コロナウイルス等の病原体の蔓延による罹患が危惧される待合室や執務室等の部屋の床面に載置される簡易型のパーティションとして利用することができる。
【符号の説明】
【００２８】
１  パーティション
２  縦支柱
２ａ  中心部
２ｃ  保持溝部
３  仕切り板
４  透明板
５  不透明板
６  スペーサ
７  連結杆
８  横支柱
【図１】
2022001716.tif 000003
【図２】
2022001716.tif 000004
【図３】
2022001716.tif 000005
【図４】
2022001716.tif 000006
【図５】
2022001716.tif 000007
【図６】
2022001716.tif 000008
【図７】
2022001716.tif 000009
【図８】
2022001716.tif 000010
【図９】
2022001716.tif 000011
【図１０】
2022001716.tif 000012
【図１１】
2022001716.tif 000013